(57)【要約】周波数分割二重（ＦＤＤ）システムにおいて半二重通信を提供するシステムおよび手順について説明する。ＦＤＤシステムにおける通信は、半二重インターレースに分割することができ、なお、端末は、ある時間には受信し、別の時間には送信することができる。ＦＤＤシステムにおけるアクセスネットワークは次いで、半二重インターレースを使用することによって、同時には送信および受信することができないアクセス端末と半二重通信を利用して通信することができる。さらに、アクセスネットワークはまた、同時に送信および受信することができるアクセス端末と全二重通信を利用して通信することができる。
2009538063.tif 000002
【特許請求の範囲】
【請求項１】
無線通信システムにおける半二重通信を促進する方法であって、
複数の半二重インターレースの中から、通信に使用する半二重インターレースを決定することと、前記複数の半二重インターレースにおける各半二重インターレースは、順方向リンクおよび逆方向リンク用の一時的に重なり合わないフレームを含み、および
前記使用が決定された半二重インターレースのフレームを使用して通信することと、を備える方法。
【請求項２】
前記使用する半二重インターレースを決定することは、端末に対する識別子に基づいて、通信に使用する前記半二重インターレースを決定することを含む請求項１に記載の方法。
【請求項３】
前記使用する半二重インターレースを決定することは、端末に対する媒体アクセス制御識別子（ＭＡＣＩＤ）に基づいて、通信に使用する前記半二重インターレースを決定することを含む請求項１に記載の方法。
【請求項４】
前記無線通信システムは、周波数分割二重（ＦＤＤ）通信システムであり、前記順方向リンクは、第１の周波数チャネルに関連付けられ、前記逆方向リンクは、第２の周波数チャネルに関連付けられる請求項１に記載の方法。
【請求項５】
前記使用が決定された半二重インターレースのフレームを使用して通信することは、
前記第１の周波数チャネルを介して、前記使用が決定された半二重インターレースの順方向リンクのフレームでデータを受信すること、および
前記第２の周波数チャネルを介して、前記使用が決定された半二重インターレースの逆方向リンクフレームでデータを送信することを含む請求項４に記載の方法。
【請求項６】
前記使用が決定された半二重インターレースのフレームを使用して通信することは、前記使用が決定された半二重インターレースに対するＣＤＭＡ制御セグメントおよびＯＦＤＭＡ制御セグメントのうちの１つ以上において、前記逆方向リンク上でシグナリングを受信することを含む請求項１に記載の方法。
【請求項７】
前記使用が決定された半二重インターレースのフレームを使用して通信することは、前記使用が決定された半二重インターレースに対するＣＤＭＡ制御セグメントおよびＯＦＤＭＡ制御セグメントのうちの１つ以上において、前記順方向リンク上でシグナリングを送信することを含む請求項１に記載の方法。
【請求項８】
前記順方向リンク上でシグナリングを送信することは、順方向リンク出力制御チャネル（Ｆ−ＰＣＣＨ）上で少なくとも１つの出力制御コマンドを送信すること、および、順方向リンクパイロット品質インジケータチャネル（Ｆ−ＰＱＩＣＨ）上で少なくとも１つのパイロット品質インジケータを送信することの１つ以上を含む請求項７に記載の方法。
【請求項９】
前記順方向リンク上でシグナリングを送信することは、順方向リンク熱による干渉チャネル（Ｆ−ＩＯＴＣＨ）および順方向リンク高速他セクター干渉チャネル（Ｆ−ＦＯＳＩＣＨ）の１つ以上で干渉情報を送信することを含む請求項７に記載の方法。
【請求項１０】
前記順方向リンク上でシグナリングを送信することは、順方向リンク共有制御チャネル（Ｆ−ＳＣＣＨ）上でシグナリングを送信することを含む請求項７に記載の方法。
【請求項１１】
前記順方向リンク上でシグナリングを送信することは、順方向リンクＣＱＩパイロットチャネル（Ｆ−ＣＱＩＰＩＣＨ）および順方向リンクビーコンパイロットチャネル（Ｆ−ＢＰＩＣＨ）の１つ以上で少なくとも１つのパイロットを送信することを含む請求項７に記載の方法。
【請求項１２】
前記使用する半二重インターレースを決定することは、第１の半二重インターレースと第２の半二重インターレースから前記半二重インターレースを選択することを含む請求項１に記載の方法。
【請求項１３】
前記使用が決定された半二重インターレースのフレームを使用して通信することは、
前記使用が決定された半二重インターレースのフレームで第１の端末にリソースを割り当てることと、
前記複数の半二重インターレースの任意のフレームで第２の端末にリソースを割り当てることと、
半二重を用いて前記第１の端末と通信することと、および
全二重を用いて前記第２の端末と通信することと、を含む請求項１に記載の方法。
【請求項１４】
前記使用が決定された半二重インターレースのフレームを使用して通信することは、ハイブリッド自動再送要求（Ｈ−ＡＲＱ）伝送によってデータを送信すること、およびＨ−ＡＲＱ伝送によってデータを受信することの少なくとも１つを含む請求項１に記載の方法。
【請求項１５】
無線通信機器であって、
複数の半二重インターレースに関するデータを記憶するメモリと、なお、前記複数の半二重インターレースの各々は、順方向リンクおよび逆方向リンク用の一時的に重なり合わないフレームを含み、
前記複数の半二重インターレースの中から、通信に使用する半二重インターレースを決定するように構成されたプロセッサと、を備える無線通信機器。
【請求項１６】
前記順方向リンク用のフレームと前記逆方向リンク用のフレームが、互いに隣接する請求項１０に記載の無線通信機器。
【請求項１７】
送信と受信の間で、または受信と送信の間で端末が切り替わることができる十分な長さのものであるガードタイムが、前記順方向リンク用のフレームと前記逆方向リンク用のフレームとの間に設けられる請求項１０に記載の無線通信機器。
【請求項１８】
前記複数の半二重インターレースは、第１の半二重インターレースおよび第２の半二重インターレースであり、前記第１の半二重インターレースおよび前記第２の半二重インターレースは、各フレームが前記第１の半二重インターレースと前記第２の半二重インターレースの一方に含まれるように、前記順方向リンクおよび前記逆方向リンク用のフレームを含む請求項１０に記載の無線通信機器。
【請求項１９】
前記第１の半二重インターレースは、前記順方向リンク用の１つおきのフレームと、前記逆方向リンク用の１つおきのフレームとを含み、前記第２の半二重インターレースは、前記順方向リンクおよび前記逆方向リンク用の残りのフレームを含む請求項１８に記載の無線通信機器。
【請求項２０】
奇数の媒体アクセス制御識別子（ＭＡＣＩＤ）を有する第１の端末は、前記第１の半二重インターレースに割り当てられ、偶数のＭＡＣＩＤを有する第２の端末は、前記第２の半二重インターレースに割り当てられる請求項１９に記載の無線通信機器。
【請求項２１】
前記プロセッサは、前記第１の端末および前記第２の端末の少なくとも一方に対する新たなＭＡＣＩＤを割り当てることによって、使用する半二重インターレースの決定を変更するようにさらに構成されている請求項１９に記載の無線通信機器。
【請求項２２】
無線通信システムにおける半二重通信を促進する機器であって、
複数の半二重インターレースの中から、通信に使用する半二重インターレースを決定するための手段と、前記複数の半二重インターレースにおける各半二重インターレースは、順方向リンクおよび逆方向リンク用のフレームを含み、
前記使用が決定された半二重インターレースのフレームを使用して通信するための手段と、を備える機器。
【請求項２３】
前記使用する半二重インターレースを決定するための手段は、少なくとも部分的に端末に対するＭＡＣＩＤに基づいて、使用する前記半二重インターレースを決定するための手段をさらに備える請求項２２に記載の機器。
【請求項２４】
前記端末に対する前記ＭＡＣＩＤを変更することによって、前記使用が決定された半二重インターレースを変更するための手段をさらに備える請求項２３に記載の機器。
【請求項２５】
前記使用が決定された半二重インターレースのフレームを使用して通信するための手段は、
半二重を用いて第１の端末と通信するための手段と、
全二重を用いて第２の端末と通信するための手段と、を含む請求項２２に記載の機器。
【請求項２６】
前記使用が決定された半二重インターレースのフレームを使用して通信するための手段は、
前記使用が決定された半二重インターレースのフレームで前記第１の端末にリソースを割り当てるための手段と、
前記複数の半二重インターレースの任意のフレームで第２の端末にリソースを割り当てるための手段と、をさらに含む請求項２５に記載の機器。
【請求項２７】
前記使用が決定された半二重インターレースのフレームを使用して通信するための手段は、
前記使用が決定された半二重インターレースのフレームで、データおよびシグナリングの少なくとも一方を前記第１の端末と交換するための手段と、
前記複数の半二重インターレースの任意フレームで、データおよびシグナリングの少なくとも一方を前記第２の端末と交換するための手段とをさらに含む請求項２５に記載の機器。
【請求項２８】
無線通信システムにおける半二重通信のためのコンピュータ実行可能命令を記憶したコンピュータ可読媒体であって、前記命令は、
複数の半二重インターレースの各々が、一時的に重なり合わないフレームを有するように、順方向リンクおよび逆方向リンクのフレームを複数の半二重インターレースの中に割り付けることと、
前記複数の全二重インターレースからの半二重インターレースにアクセス端末を関連付けることと、および
前記関連付けられた半二重インターレースに対して割り付けられたフレームを使用して前記アクセス端末と通信することと、を備えるコンピュータ可読媒体。
【請求項２９】
前記複数の半二重インターレースは、第１の半二重インターレースおよび第２の半二重インターレースであり、前記第１の半二重インターレースは、前記順方向リンク用の１つおきのフレームと、前記逆方向リンク用の１つおきのフレームとを含み、前記第２の半二重インターレースは、前記順方向リンクおよび前記逆方向リンク用の残りのフレームを含む請求項２８に記載のコンピュータ可読媒体。
【請求項３０】
前記アクセス端末を半二重インターレースと関連付けるための命令は、
前記アクセス端末のＭＡＣＩＤが奇数である場合、前記アクセス端末を前記第１の半二重インターレースと関連付けるための命令と、
前記アクセス端末のＭＡＣＩＤが偶数である場合、前記アクセス端末を前記第２の半二重インターレースと関連付けるための命令とを含む請求項２９に記載のコンピュータ可読媒体。
【請求項３１】
無線通信システムにおける半二重通信のためのコンピュータ実行可能命令を実行するプロセッサであって、前記命令は、
周波数分割二重（ＦＤＤ）通信システムにおいて半二重を使用して第１の端末と通信すること、および
全二重を用いて第２の端末と通信することを含むプロセッサ。
【請求項３２】
前記半二重を使用して第１の端末と通信することは、前記使用が決定された半二重インターレースのフレームで前記第１の端末とデータを交換することを含み、前記全二重を使用して第２の端末と通信することは、前記複数の半二重インターレースの任意のフレームで前記第２の端末とデータを交換することを含む請求項３１に記載のプロセッサ。
【請求項３３】
無線通信システムにおける半二重通信を促進する方法であって、
複数の半二重インターレースからアクセスネットワークとの通信に選択された半二重インターレースと関連付けることと、各半二重インターレースは、順方向リンクおよび逆方向リンク用の一時的に重なり合わないフレームを含み、および
前記関連付けられた半二重インターレースのフレームを使用して前記アクセスネットワークと通信することを備える方法。
【請求項３４】
前記無線通信システムは、周波数分割二重（ＦＤＤ）通信システムであり、前記順方向リンクは、第１の周波数チャネルに関連付けられ、前記逆方向リンクは、第２の周波数チャネルに関連付けられる請求項３３に記載の方法。
【請求項３５】
前記アクセスネットワークと通信することは、
前記第１の周波数チャネルを介して、前記関連付けられた半二重インターレースの順方向リンクのフレームでデータを送信すること、および
前記第２の周波数チャネルを介して、前記関連付けられた半二重インターレースの逆方向リンクのフレームでデータを受信することを含む請求項３４に記載の方法。
【請求項３６】
前記アクセスネットワークと通信することは、前記関連付けられた半二重インターレースに対するＣＤＭＡ制御セグメントおよびＯＦＤＭＡ制御セグメントの少なくとも１つにおいて、前記逆方向リンク上でシグナリングを送信することを含む請求項３３に記載の方法。
【請求項３７】
前記アクセスネットワークと通信することは、前記関連付けられた半二重インターレースに対するＣＤＭＡ制御セグメントおよびＯＦＤＭＡ制御セグメントの少なくとも１つにおいて、前記順方向リンク上でシグナリングを受信することを含む請求項３３に記載の方法。
【請求項３８】
前記順方向リンク上でシグナリングを受信することは、順方向リンク出力制御チャネル（Ｆ−ＰＣＣＨ）上で少なくとも１つの出力制御コマンドを受信すること、および、順方向リンクパイロット品質インジケータチャネル（Ｆ−ＰＱＩＣＨ）上で少なくとも１つのパイロット品質インジケータを受信することの１つ以上を含む請求項３７に記載の方法。
【請求項３９】
前記順方向リンク上でシグナリングを受信することは、順方向リンク熱による干渉チャネル（Ｆ−ＩＯＴＣＨ）および順方向リンク高速他セクター干渉チャネル（Ｆ−ＦＯＳＩＣＨ）の１つ以上で干渉情報を受信することを含む請求項３７に記載の方法。
【請求項４０】
前記順方向リンク上でシグナリングを受信することは、順方向リンク共有制御チャネルＦ−ＳＣＣＨ上でシグナリングを受信することを含む請求項３７に記載の方法。
【請求項４１】
前記順方向リンク上でシグナリングを受信することは、順方向リンクＣＱＩパイロットチャネル（Ｆ−ＣＱＩＰＩＣＨ）および順方向リンクビーコンパイロットチャネル（Ｆ−ＢＰＩＣＨ）の１つ以上で少なくとも１つのパイロットを受信することを含む請求項３７に記載の方法。
【請求項４２】
無線通信機器は、
関連付けられた半二重インターレースに関するデータを記憶するメモリと、前記選択された半二重インターレースは、順方向リンクおよび逆方向リンク用の一時的に重なり合わないフレームを含み、
前記関連付けられた半二重インターレースのフレームを使用してアクセスネットワークと通信するように構成されたプロセッサと、を備える無線通信機器。
【請求項４３】
無線通信システムにおける半二重通信を促進する機器であって、
複数の半二重インターレースからアクセスネットアークとの通信のために選択された半二重インターレースと関連付けるための手段と、各半二重インターレースは、順方向リンクおよび逆方向リンク用のフレームを含み、
前記関連付けられた半二重インターレースのフレームを使用して前記アクセスネットワークと通信するための手段とを備える機器。
【請求項４４】
無線通信システムにおける半二重通信のためのコンピュータ実行可能命令を記憶したコンピュータ可読媒体であって、前記命令は、
複数の半二重インターレースから選択された半二重インターレースと関連付けることと、前記複数の半二重インターレースの各々は、前記複数の半二重インターレースの各々が一時的に重なり合わないフレームを有するように、順方向リンクおよび逆方向リンクのフレームを割り付けており、および
前記関連付けられた半二重インターレースに対する割り付けられたフレームを使用してアクセスネットワークと通信すること、を備えるコンピュータ可読媒体。
【請求項４５】
無線通信システムにおける半二重通信のためのコンピュータ実行可能命令を実行するプロセッサであって、前記命令は、
複数の半二重インターレースから選択された半二重インターレースのフレームでリソースの割当てを受信すること、および
前記割り当てられたリソースを使用してアクセスネットワークと通信することを備えるプロセッサ。
【請求項４６】
前記アクセスネットワークと通信することは、前記選択された半二重インターレースのフレームで前記アクセスネットワークとデータを交換することを含む請求項４０に記載のプロセッサ。
【発明の詳細な説明】
【技術分野】
【０００１】
（相互参照）
本願は、本願明細書中で参照として引用され、２００６年５月１８日に出願された「ＨＡＬＦ−ＤＵＰＬＥＸ  ＣＯＭＭＵＮＩＣＡＴＩＯＮ  ＩＮ  Ａ  ＦＲＥＱＵＥＮＣＹ  ＤＩＶＩＳＩＯＮ  ＤＵＰＬＥＸ  ＳＹＳＴＥＭ」という名称の米国仮出願第６０／８０１，７６３号の利益を主張するものである。
【０００２】
本開示は、広義には無線通信に関し、より具体的には、無線通信システムにおいてデータを伝送するための技法に関する。
【背景技術】
【０００３】
無線通信システムは、様々な通信サービスを提供するために広範に配備されており、そのような無線通信システムを介して、例えば、音声、ビデオ、パケットデータ、ブロードキャスト、およびメッセージサービスを提供することができる。これらのシステムは、利用可能なシステムリソースを共有することによって複数の端末に対する通信をサポートすることが可能な多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムが挙げられる。
【０００４】
従来より、アクセスネットワーク（ＡＮ）とも呼ばれる無線通信システムは、順方向リンクおよび逆方向リンク上での基地局と端末（例えば、アクセス端末またはＡＴ）との間のデータ伝送に、周波数分割二重通信（ＦＤＤ）または時分割二重通信（ＴＤＤ）のいずれかを利用している。順方向リンク（または「ダウンリンク」）とは、基地局から１つ以上の端末への通信リンクのことを指し、一方、逆方向リンク（または「アップリンク」）とは、端末から１つ以上の基地局への通信リンクのことを指す。ＦＤＤを利用する無線通信システムにおいては、別個の周波数チャネルが、順方向リンクおよび逆方向リンクに使用される。端末は、順方向リンク（ＦＬ）周波数チャネル上でデータを受信するのと同時に、逆方向リンク（ＲＬ）周波数チャネル上でデータを伝送することができる。対照的に、ＴＤＤを利用する無線通信システムにおいては、単一の周波数チャネルが、順方向リンクと逆方向リンクの双方に使用される。そのようなシステムにおける伝送タイムラインは、各時間間隔に区分化され、ある時間間隔はＦＬ伝送に使用され、他の時間間隔はＲＬ伝送に使用される。この区分化に基づいて、端末は、ＲＬ伝送用に確保された時間間隔で周波数チャネル上でデータを伝送することができ、また、ＦＬ伝送用に確保された時間間隔でデータを受信することができる。
【０００５】
ＦＤＤシステムにおける動作用に設計された端末は、ＦＬ通信およびＲＬ通信に異なる周波数帯域を割り当てて、同時のＦＬ通信とＲＬ通信を可能にしているデュプレクサを使用することによって同時に受信し送信することが可能である。しかしながら、端末は、ＴＤＤシステムにおける動作用に設計されていることもあり、また、端末が同時に受信し送信することを可能にするデュプレクサを持たないこともある。したがって、端末は、２つの周波数チャネル上での同時の伝送と受信をサポートする典型的なＦＤＤシステムにおいては、動作することができない。さらに、デュプレクサは、実装にコストを要することがあり、結果として、アクセスネットワークにおける一部の端末には望ましくないことがある。加えて、高帯域幅のアクセスネットワークにおいて動作する端末用に、２つの周波数帯域を完全に分離するデュプレクサを組み入れることは、そのネットワークの高帯域性により、従来より困難であった。
【特許文献１】米国仮出願第６０／８０１，７６３号
【発明の開示】
【発明の概要】
【０００６】
開示する実施形態の基本が理解されることを目的に、かかる実施形態の概要を以下に簡潔に提示する。この概要は、企図されるすべての実施形態の大要を総括するものではなく、また、主要なまたは重要な要素を特定することも、かかる実施形態の趣旨を叙述することも意図したものではない。その唯一の目的は、後に提示するより詳細な説明に対する序文としての簡潔な形で、開示する実施形態のいくつかの概念を提示することである。
【０００７】
説明する実施形態は、ＦＤＤシステムにおける半二重通信を提供することによって上記の問題を緩和する。より具体的には、１つ以上の実施形態で、ＦＤＤシステムにおける通信を半二重インターレースに分離しており、なお、端末は、ＴＤＤシステムと類似した方式で、ある期間には受信し、別の期間には伝送することができる。ＦＤＤシステムを半二重インターレースに分離することによって、デュプレクサを持たない端末（例えば、ＴＤＤシステムにおける動作用に設計された端末）をＦＤＤシステムにおいて機能させることができる。
【０００８】
一態様によれば、無線通信システムにおける半二重通信を促進する方法が、本願において示される。その方法は、複数の半二重インターレースの中から、通信に使用する半二重インターレースを決定することと、複数の半二重インターレースにおける各半二重インターレースが、順方向リンクおよび逆方向リンク用の一時的に重なり合わないフレームを含むことを備えることができる。さらに、その方法は、使用が決定された半二重インターレースのフレームを使用して通信することを備えることができる。
【０００９】
別の態様は、複数の半二重インターレースに関するデータを記憶するメモリを有することができ、なお、その複数の半二重インターレースの各々は、順方向リンクおよび逆方向リンク用の一時的に重なり合わないフレームを含む無線通信機器に関する。さらに、その無線通信機器は、複数の半二重インターレースの中から、通信に使用する半二重インターレースを決定するように構成されたプロセッサを有することができる。
【００１０】
さらなる別の態様は、無線通信システムにおける半二重通信を促進する機器に関する。その機器は、複数の半二重インターレースの中から、通信に使用する半二重インターレースを決定するための手段を有することができ、なお、その複数の半二重インターレースにおける各半二重インターレースが、順方向リンクおよび逆方向リンク用の一時的に重なり合わないフレームを含む。加えて、その機器は、使用が決定された半二重インターレースのフレームを使用して通信するための手段を有することができる。
【００１１】
さらに別の態様は、無線通信システムにおける半二重通信のためのコンピュータ実行可能命令を記憶したそのコンピュータ可読媒体に関する。その命令は、複数の半二重インターレースの各々が、一時的に重なり合わないフレームを有するように、順方向リンクおよび逆方向リンクのフレームを複数の半二重インターレースの中に割り付けることを備えることができる。加えて、その命令はまた、複数の半二重インターレースからの半二重インターレースにアクセス端末を関連付けることを含むことができる。さらに、その命令は、関連付けられた半二重インターレースに対して割り付けられたフレームを使用してアクセス端末と通信することを含むことができる。
【００１２】
別の態様によれば、無線通信システムにおける半二重通信のためのコンピュータ実行可能命令を実行することができるプロセッサが、本願に示される。これらの命令は、周波数分割二重（ＦＤＤ）通信システムにおいて半二重を用いて第１の端末と通信することを含むことができる。これらの命令は、全二重を用いて第２の端末と通信することをさらに含むことができる。
【００１３】
さらに別の態様によれば、無線通信システムにおける半二重通信を促進する方法が、本願において示される。その方法は、複数の半二重インターレースからアクセスネットワークとの通信に選択された半二重インターレースと関連付けることを備えることをでき、各半二重インターレースは、順方向リンクおよび逆方向リンク用の一時的に重なり合わないフレームを含む。加えて、その方法は、関連付けられた半二重インターレースのフレームを使用してアクセスネットワークと通信することを備えることができる。
【００１４】
別の態様は、関連付けられた半二重インターレースに関するデータを記憶するメモリを備えることができ、選択された半二重インターレースは、順方向リンクおよび逆方向リンク用の一時的に重なり合わないフレームを含む無線通信機器に関する。さらに、その無線通信機器は、関連付けられた半二重インターレースのフレームを使用してアクセスネットワークと通信するように構成されたプロセッサを有することができる。
【００１５】
さらなる別の態様は、無線通信システムにおける半二重通信を促進する機器に関する。その機器は、複数の半二重インターレースからアクセスネットワークとの通信に選択された半二重インターレースと関連付けるための手段を含むことができ、各半二重インターレースが、順方向リンクおよび逆方向リンク用の一時的に重なり合わないフレームを含む。加えて、その機器は、関連付けられた半二重インターレースのフレームを使用してアクセスネットワークと通信するための手段を有することができる。
【００１６】
別の態様によれば、その無線通信システムにおける半二重通信のためのコンピュータ実行可能命令を記憶したコンピュータ可読媒体。その命令は、複数の半二重インターレースから選択された半二重インターレースと関連付けることを有することができ、その複数の半二重インターレースの各々は、その複数の半二重インターレースの各々が、一時的に重なり合わないフレームを有するように、順方向リンクおよび逆方向リンクのフレームを割り付けていることを含む。さらに、その命令は、関連付けられた半二重インターレースに対して割り付けられたフレームを使用してアクセスネットワークと通信することを含むことができる。
【００１７】
さらに別の態様は、無線通信システムにおける半二重通信のためのコンピュータ実行可能命令を実行するプロセッサに関する。その命令は、複数の半二重インターレースから選択された半二重インターレースのフレームでリソースの割当てを受信することを含むことができる。加えて、その命令は、その割り当てられたリソースを使用してアクセスネットワークと通信することを含むことができる。
【００１８】
上記のおよび関連する目的を達成するために、１つ以上の実施形態は、以下に十分に説明し、かつ、特に、特許請求の範囲で具体的に示す特徴を備えている。以下の説明および添付の図面で、開示する実施形態の特定の例示的な態様を詳細に記載する。これらの態様は、しかしながら、様々な実施形態の原理が用いられうる様々な方式のうちの少数を表すものである。さらに、開示する実施形態は、かかるすべての態様およびその等価物を包含することを意図したものである。
【詳細な説明】
【００１９】
これから図面を参照して様々な実施形態について説明するが、なお、同様の参照符号が、全体を通じて同様の要素を指すために使用されている。以下の説明においては、解説の必要上、多数の具体的な詳細が、１つ以上の態様が完全に理解されることを目的として記載されている。しかしながら、そのような実施形態が、これらの具体的な詳細がなくても実施されうることは明白であろう。他の例においては、周知の構造および装置が、１つ以上の実施形態を説明するのを促進する目的で、ブロック図の形で示されている。
【００２０】
本出願において使用するとき、「コンポーネント」、「モジュール」、「システム」などの用語は、コンピュータ関連のエンティティ、すなわち、ハードウェア、ファームウェア、ハードウェアとソフトウェアとの組合わせ、ソフトウェア、または実行中であるソフトウェアのいずれかを指すことを意図したものである。例えば、コンポーネントは、限定するものではないが、プロセッサ上で稼働中のプロセス、プロセッサ、オブジェクト、実行ファイル、実行スレッド、プログラム、および／またはコンピュータであってもよい。実例として、計算機上で稼働中のアプリケーションとその計算機との双方が、１つのコンポーネントとなることができる。１つ以上のコンポーネントが、プロセスおよび／または実行スレッド内に存在することができ、また、１つのコンポーネントが、１つのコンピュータに集中し、かつ／または２つ以上のコンピュータの間に分散していてもよい。加えて、これらのコンポーネントは、様々なデータ構造を記憶した様々なコンピュータ可読媒体から実行することができる。コンポーネントは、１つ以上のデータパケット（例えば、局所システム、分散システムにおける別のコンポーネントと、かつ／または、インターネットなどのネットワークを介して他のシステムと、信号によって対話する１つのコンポーネントからのデータ）を有する信号に従うなど、局所的かつ／または遠隔的なプロセスによって通信してもよい。
【００２１】
さらに、様々な実施形態について、無線端末および／または基地局と関連して本願明細書で説明する。無線端末は、音声および／またはデータの接続性をユーザーに提供する装置のことを指していてもよい。無線端末は、ラップトップコンピュータまたはデスクトップコンピュータなどの計算機に接続されていてもよく、また、携帯情報端末（ＰＤＡ）などの自蔵式の装置であってもよい。無線端末はまた、システム、加入者ユニット、加入者局、移動局、移動体、遠隔局、アクセスポイント、遠隔端末、アクセス端末、ユーザー端末、ユーザーエージェント、ユーザーデバイス、または、ユーザー機器と呼ばれることもある。無線端末は、加入者局、無線デバイス、セル式電話機、ＰＣＳ電話機、コードレス電話機、ＳＩＰ（セッション開始プロトコル（Ｓｅｓｓｉｏｎ  Ｉｎｉｔｉａｔｉｏｎ  Ｐｒｏｔｏｃｏｌ））電話機、無線ローカルループ（ＷＬＬ）局、携帯情報端末（ＰＤＡ）、無線接続機能を有するハンドヘルドデバイス、または無線モデムに接続された他の処理デバイスであってもよい。基地局（例えばアクセスポイント）は、エアインターフェースにわたって１つ以上のセクターを通じて無線端末と通信するアクセスネットワーク内のデバイスを指していてもよい。基地局は、受信したエアインターフェースフレームをＩＰパケットに変換することによって、無線端末と、インターネットプロトコル（ＩＰ）ネットワークを含みうるアクセスネットワークの残りとの間のルータとして機能してもよい。基地局はまた、エアインターフェースについての属性の管理を調整する。
【００２２】
さらに、本願明細書で説明する様々な態様または特徴は、標準的なプログラミング技法および／または工学的技法を使用して、方法、機器、または製品として実現されてもよい。本願で使用する「製品」という用語は、任意のコンピュータ可読デバイス、キャリア、または媒体からアクセス可能なコンピュータプログラムを包含することを意図したものである。例えば、コンピュータ可読媒体には、限定はしないが、磁気記憶装置（例えば、ハードディスク、フロッピー（登録商標）ディスク、磁気ストライプ）、光ディスク（例えば、コンパクトディスク（ＣＤ）、デジタル多用途ディスク（ＤＶＤ））、スマートカード、およびフラッシュメモリデバイス（例えば、カード、スティック、キードライブ）を挙げることができる。
【００２３】
多数のデバイス、コンポーネント、モジュール、その他同種のものを有しうるシステムの観点から、様々な実施形態を示すことにする。様々なシステムが、付加的なデバイス、コンポーネント、モジュール、その他を有してもよく、かつ／または、図に関連して議論するデバイス、コンポーネント、モジュール、その他のすべてを有していなくてもよいことは、理解されかつ認められるべきである。また、これらの手法の組合わせを用いてもよい。
【００２４】
ここで図面を参照すると、図１は、様々な態様による多元接続無線通信システム１００の図である。一例において、多元接続無線通信システム１００は、複数の基地局１１０と複数の端末１２０とを有している。さらに、１つ以上の基地局１１０が、１つ以上の端末１２０と通信することができる。非限定的な例として、基地局１１０は、アクセスポイント、ノードＢ、および／または別の適当なネットワークエンティティであってもよい。各基地局１１０は、特定の地理的エリア１０２に対して通信カバー範囲を提供している。本願明細書で使用するとき、また当技術分野においては一般に、「セル」という用語は、この用語が使用される状況に応じて、基地局１１０および／またはそのカバーエリア１０２を指すことがある。システム能力を改善するために、基地局１１０に対応するカバーエリア１０２は、複数のより小さなエリア（例えば、エリア１０４ａ、１０４ｂ、および１０４ｃ）に区分化されていてもよい。より小さなエリア１０４ａ、１０４ｂ、および１０４ｃの各々は、各自の基地トランシーバサブシステム（ＢＴＳ、図示せず）によってサービスを受けてもよい。本願明細書で使用するとき、また当技術分野においては一般に、「セクター」という用語は、この用語が使用される状況に応じて、ＢＴＳおよび／またはそのカバーエリアを指すことがある。複数のセクター１０４を有するセル１０２において、セル１０２の全セクター１０４に対するＢＴＳは、セル１０２に対する基地局１１０内の同じ場所に配置することができる。
【００２５】
別の例において、システム１００は、１つ以上の基地局１１０に結合することができかつ基地局１１０についての調整と制御をもたらすことができるシステムコントローラ１３０を用いることによって、集中形アーキテクチャを利用することができる。別の態様によれば、システムコントローラ１３０は、単一のネットワークエンティティであっても、ネットワークエンティティの集まりであってもよい。加えて、システム１００は、基地局１１０が必要に応じて互いに通信できるようにするために、分散アーキテクチャを利用してもよい。
【００２６】
一態様によれば、端末１２０は、システム１００全体にわたって散在していてもよい。各端末１２０は、静止していても移動していてもよい。非限定的な例として、端末１２０は、アクセス端末（ＡＴ）、移動局、ユーザー機器、加入者局、および／または別の適当なネットワークエンティティであってもよい。端末は、無線デバイス、セル式電話機、携帯情報端末（ＰＤＡ）、無線モデム、ハンドヘルドデバイスなどであってもよい。
【００２７】
別の態様によれば、システム１００はＦＤＤを利用し、２つの別個の周波数チャネルを介して順方向リンク（ＦＬ）および逆方向リンク（ＲＬ）上での同時伝送をサポートしてもよい。加えて、システム１００は、全二重動作が可能な端末１２０（「全二重端末」）に対して全二重通信をサポートしてもよい。本願明細書で使用するとき、また当技術分野においては一般に、全二重とは、局（例えば基地局１１０または端末１２０）が同時に伝送し受信しうるモードのことを指す。一例において、全二重動作が可能な局は、伝送と受信の双方のための単一のアンテナを備えていてもよい。したがって、局は、デュプレクサを有することができ、デュプレクサによって、データ受信用に受信信号をアンテナからレシーバに送り、データ伝送用に変調信号をトランスミッタからアンテナに送ることができる。
【００２８】
加えて、システム１００は、全二重動作が可能でない端末１２０（「半二重端末」）に対して半二重通信をサポートしてもよい。本願明細書で使用するとき、また当技術分野においては一般に、半二重とは、局がいかなる瞬間にも伝送するかまたは受信することはできるが、同時に伝送し受信することはできないモードのことを指す。一例において、半二重動作のみが可能な局は、伝送と受信の双方のための単一のアンテナを備えていてもよい。したがって、局は、データ受信の期間にはアンテナをレシーバに接続し、データ伝送の期間にはトランスミッタをアンテナに接続することができるスイッチを有していてもよい。
【００２９】
別の例において、システム１００は、ＣＤＭＡ、ＴＤＭＡ、ＦＤＭＡ、ＯＦＤＭＡ、シングルキャリアＦＤＭＡ（ＳＣ−ＦＤＭＡ）、および／または他の好適な多元接続方式など、１つ以上の多元接続方式を利用してもよい。ＯＦＤＭＡは直交周波数分割多重化（ＯＦＤＭ）を利用し、ＳＣ−ＦＤＭＡはシングルキャリア周波数分割多重化（ＳＣ−ＦＤＭ）を利用する。ＯＦＤＭおよびＳＣ−ＦＤＭは、システムの帯域幅を複数の直交サブキャリア（例えば、トーン、ビン）に区分化することができ、それらは、データで変調されてもよい。典型的には、変調シンボルは、ＯＦＤＭでは周波数領域で、ＳＣ−ＦＤＭでは時間領域で送信される。加えて、システム１００は、ＯＦＤＭＡおよびＣＤＭＡなどの多元接続方式の組合わせを利用してもよい。加えて、システム１００は、データおよびシグナリングが順方向リンクおよび逆方向リンク上で送信される方式を示すために、様々なフレーミング構造を利用してもよい。明確にするため、システム１００が利用しうるフレーミング構造の非限定的な例について、ここでより詳細に説明する。
【００３０】
加えて、システム１００は、当技術分野において増分リダンダンシー（Ｉｎｃｒｅｍｅｎｔａｌ  Ｒｅｄｕｎｄａｎｃｙ）（ＩＲ）伝送とも呼ばれているハイブリッド自動再送要求（Ｈ−ＡＲＱ）伝送をサポートしてもよい。Ｈ−ＡＲＱを用いると、データパケットは、１回の伝送で、また必要に応じて、そのデータパケットが正しく復号化されるか、または最高回数の再伝送が送られるまで、１回以上の再伝送で送ることができる。
【００３１】
図２は、本願明細書で説明する様々な態様による半二重通信を提供するシステム２００のブロック図である。一例において、システム２００は、アクセスネットワーク（ＡＮ）２１０と１つ以上のアクセス端末（ＡＴ）２２０とを有している。別の例において、複数のアクセスネットワーク２１０がまた、システム２００内で用いられてもよい。アクセスネットワーク２１０は、例えば、無線通信システム（例えばシステム１００）またはシステム内の個々の基地局（例えば基地局１１０）とすることができる。加えて、アクセス端末２２０は、例えば、無線通信システム内の端末（例えば端末１２０）とすることができる。
【００３２】
一態様によれば、アクセスネットワーク２１０とアクセス端末２２０は、アクセスネットワーク２１０におけるアンテナ２１２およびアクセス端末２２０におけるアンテナ２２２を介して、順方向リンク（ＦＬ）および逆方向リンク（ＲＬ）上で通信することができる。加えて、アクセスネットワーク２１０および／またはアクセス端末２２０は、システム２００内の複数のアクセスネットワーク２１０および／またはアクセス端末２２０と通信するために、複数のアンテナ２１２および／またはアンテナ２２２を有していてもよい。
【００３３】
別の態様によれば、システム２００は、ＦＤＤ通信を利用することができる。しかしながら、１つ以上のアクセス端末２２０が、ＦＤＤ通信を利用するシステムにおける動作用には設計されていないことがある。例えば、アクセス端末２２０は、通常のＦＤＤ全二重通信で要求されるようにアクセス端末２２０が同時に伝送し受信することを可能にするためのデュプレクサまたは他の手段を持たないこともある。これらのアクセス端末２２０をシステム２００において機能させるために、アクセスネットワーク２１０は、ＦＬおよびＲＬ伝送タイムラインを複数の半二重インターレースに区分化するインターレースコンポーネント２１５を有していてもよい。さらに、１つ以上のアクセス端末２２０がまた、インターレースコンポーネント２２５を有していてもよい。
【００３４】
一例において、インターレースコンポーネント２１５および２２５は、ＦＬおよびＲＬ伝送タイムラインを２つの同等の半二重インターレースに区分化する。インターレースコンポーネント２１５および２２５は次いで、２つの半二重インターレースの間でアクセス端末２２０を分割することができる。この分割は、所与のインターレース上のアクセス端末の数、インターレース間のロードバランス、および／または他の好適な要素など、複数の要素に基づくことができる。別の例においては、最初に、各アクセス端末２２０をインターレースに、そのアクセス端末２２０から取得した情報に基づいて割り当てることによって、アクセス端末２２０を半二重インターレースに分割することができる。この情報は、システム２００内のアクセス端末２２０の媒体アクセス制御識別子（ＭＡＣＩＤ）、インターネットプロトコル（ＩＰ）アドレス、端末名、および／またはＩＤの他の要素、ならびに他の適当な情報とすることができる。１つ以上のアクセス端末２２０のＭＡＣＩＤを利用する非限定的な例において、偶数のＭＡＣＩＤを持つアクセス端末２２０は、あるインターレースに割り当てることができ、一方で、奇数のＭＡＣＩＤを持つアクセス端末２２０は、別のインターレースに割り当てることができる。加えて、アクセス端末２２０は、必要に応じて、アクセス端末２２０のＭＡＣＩＤを再割当てすることによって、別のインターレースに再割当てすることができる。
【００３５】
別の態様によれば、アクセス端末２２０は、システム２００内における全二重動作が可能であってもよい。この場合、アクセス端末２２０は、半二重インターレースを割り当てられなくてもよく、また、任意のインターレース上のＦＬとＲＬの双方においてアクセスネットワーク２１０と通信できるようにされてもよい。
【００３６】
図３は、例示的なＦＤＤスーパーフレーム構造３００を示す図である。一例において、順方向リンクに対する伝送タイムライン３１０は、スーパーフレーム３１５の単位に区分化されており、逆方向リンクに対する伝送タイムライン３２０は、スーパーフレーム３２５の単位に区分化されている。各スーパーフレーム３１５および３２５は、固定されていても可変であってもよい特定の持続時間に及んでいる。非限定的な一例において、各順方向リンクのスーパーフレーム３１５は、２５の物理層（ＰＨＹ）フレーム（または単に「フレーム」）が続いているプリアンブルを有することができる。非限定的な別の例において、各順方向リンクのスーパーフレーム３１５は、半二重インターレース間での非同期動作を可能にするために、奇数の他の何らかのフレームを有することができる。このことは、例えば、１つの半二重インターレースに割り当てられた端末が、順方向リンク上の端末にサービスするセクターと非同期に、他のセクターによって他の半二重インターレース上で通信されたスーパーフレームプリアンブルを受信できるようにするためになされてもよい。一般にはしかしながら、スーパーフレームは、任意の持続時間に及びうるものであり、かつ任意の数のフレームおよび他のフィールドを含みうることを理解されたい。本願明細書で使用するとき、また当技術分野において一般に、「フレーム」とは、この用語が使用される状況に応じて、伝送タイムライン３１０および３２０における時間間隔、またはその時間間隔の間に送られる伝送を指すことがある。順方向リンクスーパーフレーム３１５内のスーパーフレームプリアンブルは、１つ以上の端末が、順方向リンク制御チャネルを受信し、引き続きシステムにアクセスすることが可能となることがあるオーバーヘッドおよびシステムの情報を伝えることができる。順方向リンクスーパーフレーム３１５内の各後続フレームは次いで、トラヒックデータおよび／またはシグナリングを伝えることができる。別の態様によれば、各逆方向リンクスーパーフレーム３２５は、２５のフレームを含むことができ、第１のフレームは、順方向リンク上のスーパーフレームプリアンブルの長さだけ延長されていてもよい。一例において、各逆方向リンクのスーパーフレーム３２５は、対応する順方向リンクのスーパーフレーム３１５と時間で整合されている。さらに、順方向リンクの伝送タイムライン３１０および逆方向リンクの伝送タイムライン３２０によって表されるように、各リンクに対するフレームは、順に増加するインデックスを割り当てられていてもよい。一例において、フレームインデックスは、所定の時刻においてゼロで始まり、最大インデックスに達するまで各フレームごとに１つインクリメントし、次いで、ゼロにラップアラウンドしてもよい。
【００３７】
ＦＤＤスーパーフレーム構造３００において、１つ以上の基地局（例えば基地局１１０）が、各順方向リンクフレーム上でデータおよび／またはシグナリングを端末（例えば端末１２０）に伝送することができる。端末は、スケジュールされている場合、次いで各逆方向リンクフレーム上でデータおよび／またはシグナリングを基地局に伝送することができる。加えて、基地局と端末は、順方向リンクおよび逆方向リンクを介して、データおよび／またはシグナリングを同時に伝送し受信することができる。
【００３８】
図４は、例示的なＴＤＤ１：１スーパーフレーム構造４００を示す図である。一例において、順方向リンクの伝送タイムライン４１０および逆方向リンクの伝送タイムライン４２０は、個々のスーパーフレーム４１５および４２５へと区分化されている。各順方向リンクのスーパーフレーム４１５は、スーパーフレーム３１５および３２５と同様に２４のフレームが後に続くプリアンブルを含むように、対応する逆方向リンクのスーパーフレーム４２５と組み合わさることができる。加えて、スーパーフレーム４１５および４２５の各組におけるフレームは、偶数のインデックスを持つフレームが順方向リンクに割り当てられ、奇数のインデックスを持つフレームが逆方向リンクに割り当てられるように、順方向リンクおよび逆方向リンクに交互に割り当てることができる。したがって、非限定的な例において、スーパーフレーム構造４００における各順方向リンクスーパーフレーム４１５は、１フレーム分だけ離間した１２の順方向リンクフレームが後に続くプリアンブルを有することができ、第１の順方向リンクフレームがスーパーフレームプリアンブルに直ちに続いている。この非限定的な例において、各逆方向リンクスーパーフレーム４２５は次いで、同様に１フレーム１分だけ離間した１２の逆方向リンクフレームを有することができる。逆方向リンクフレームは、１フレームずつ順方向リンクフレームと喰い違い状にすることができる。図４で用いている「１：１」という表示は、１つの順方向リンクフレームに１つの逆方向リンクフレームが続くような繰り返しパターンを表すために用いることができる。さらに、順方向リンクの伝送タイムライン４１０および逆方向リンクの伝送タイムライン４２０によって表されるように、各リンクに対するフレームは、順に増加するインデックスを割り当てられていてもよい。
【００３９】
ＴＤＤスーパーフレーム構造４００において、１つ以上の基地局（例えば基地局１１０）が、各順方向リンクフレーム上でデータおよび／またはシグナリングを端末（例えば端末１２０）に伝送することができる。端末は、スケジュールされている場合、次いで各逆方向リンクフレーム上でデータおよび／またはシグナリングを基地局に伝送することができる。順方向リンクフレームは逆方向リンクフレームと喰い違い状となっているため、基地局および／または端末は、所与のフレームにおいて、伝送または受信のいずれかを行なうことができるが、伝送と受信の双方を行なうことはできない。
【００４０】
図５Ａは、本明細書で説明する様々な態様による例示的なＦＤＤ半二重スーパーフレーム構造５００を示す図である。一例において、順方向リンクの伝送タイムライン５１０および逆方向リンクの伝送タイムライン５２０は、個々のスーパーフレーム５１５および５２５へと区分化されている。各順方向リンクのスーパーフレーム５１５は、スーパーフレーム３１５および３２５と同様に２４のフレームが後に続くプリアンブルを含むように、対応する逆方向リンクのスーパーフレーム５２５と組み合わさることができる。非限定的な例において、スーパーフレーム構造５００における各順方向リンクスーパーフレーム５１５は、２４の順方向リンクフレームが後に続くプリアンブルを有することができ、また、スーパーフレーム構造５００における各逆方向リンクスーパーフレーム５２５は、順方向リンクスーパーフレーム５１５におけるスーパーフレームプリアンブルに対応する時間間隔の後に続く２４の逆方向リンクフレームを有することができる。
【００４１】
別の例において、２つの半二重インターレース、半二重インターレース０および半二重インターレース１を定義することができる。「半二重インターレース」という用語が本明細書において使用されているが、これは単に、用いうる１つの用語に過ぎず、任意の適当な専門用語を、本願明細書で説明する態様と関連して使用してもよいことを理解されたい。一例において、半二重インターレース０は、（１）スーパーフレームプリアンブルの後に第１の順方向リンクフレームで開始する１つおきの順方向リンクフレームと、（２）スーパーフレームプリアンブルの後に第２の逆方向リンクフレームで開始する１つおきの逆方向リンクフレームとを有することができる。したがって、半二重インターレース０は、ＴＤＤ１：１スーパーフレーム構造４００において各順方向リンクフレームと逆方向リンクフレームとを有することができる。別の例において、半二重インターレース１は、（１）スーパーフレームプリアンブルの後に第２の順方向リンクフレームで開始する１つおきの順方向リンクフレームと、（２）スーパーフレームプリアンブルの後に第１の逆方向リンクフレームで開始する１つおきの逆方向リンクフレームとを有することができる。したがって、半二重インターレース１は、半二重インターレース０と相補的となることができる。より具体的には、半二重インターレース１は、半二重インターレース０にそれぞれ含まれる逆方向リンクフレームおよび順方向リンクフレームの代わりに、順方向リンクフレームおよび逆方向リンクフレームを含むことができる。加えて、双方の半二重インターレースが、共通のスーパーフレームプリアンブルを共有することができる。各半二重インターレースはまた、順方向リンクおよび逆方向リンク用の一時的に重なり合わないフレームを含むことができ、このことは、順方向リンクフレームが、ある時間内に逆方向リンクと重なり合わないことを意味する。
【００４２】
上記の例は、２つの半二重インターレースを有するスーパーフレーム構造５００について説明するものであるが、任意の数の半二重インターレースが定義されうることは理解されるべきである。さらに、半二重インターレースは、互いに喰い違い状となった同じ数の順方向リンクフレームおよび逆方向リンクフレームを含んでもよく、また、半二重インターレースは、異なる数の順方向リンクフレームおよび逆方向リンクフレームを含んでもよい。加えて、スーパーフレーム構造５００における各半二重インターレースの順方向リンクフレームおよび逆方向リンクフレームは互いに隣接するが、伝送と受信とを切り換えるための時間量を半二重端末に与える目的で、各半二重インターレースの順方向リンクフレームと逆方向リンクフレームとの間に、ガードタイムを設けることもできる。
【００４３】
一例において、各リンクに対する半二重インターレース０のフレームは、順方向リンクのタイムライン５１０および逆方向リンクのタイムライン５２０によって表されているように、順に増加するインデックスを割り当てられている。同様に、各リンクに対する半二重インターレース１のフレームはまた、半二重インターレース１の順方向リンクフレームｎ’が半二重インターレース０の順方向リンクフレームｎに続き、半二重インターレース１の逆方向リンクフレームｎ’が半二重インターレース０の逆方向リンクフレームｎに続くように、プライム記号を使用して、順に増加するインデックス（例えば、１’、２’、．．．）を割り当てることができる。
【００４４】
スーパーフレーム構造５００を利用する無線通信システム（例えばシステム１００）における端末（例えば端末１２０）は、様々な方式で半二重インターレースの１つ以上を介してシステムにアクセスすることができる。一例において、端末は、２つの半二重インターレースのうちの一方をランダムに選択してシステムにアクセスすることができる。別の例において、端末は、システムアクセスに使用すべき半二重インターレースを決定し、その決定した半二重インターレースを介してシステムにアクセスすることができる。どの半二重インターレースをシステムアクセスに使用するかに関する情報は、オーバーヘッドパラメータのブロックを介してデータチャネルを通じて送られても、端末によって推測的に知られても、他の何らかの方式で提供されてもよい。
【００４５】
それに加えて、かつ／またはそれに代わって、基地局（例えば基地局１１０）は、端末の能力を判断し、端末が全二重動作または半二重動作をサポートするか否かを確認してもよい。端末が全二重動作をサポートしている場合、基地局は、任意のフレームでリソースを端末に割り当てることができる。端末が半二重動作のみをサポートしている場合、基地局は、端末を半二重インターレースに割り当て、割り当てられた半二重インターレースのフレームでリソースを端末に割り当てることができる。例えば、端末が半二重インターレース０を割り当てられている場合、基地局は、半二重インターレース０の順方向リンクフレームおよび逆方向リンクフレームでリソースを端末に割り当てることができる。逆に言えば、端末が半二重インターレース１を割り当てられている場合、基地局は、半二重インターレース１の順方向リンクフレームおよび逆方向リンクフレームでリソースを端末に割り当てることができる。
【００４６】
上記の例に関して、半二重端末は、様々な方式で半二重インターレースを割り当てられることができる。一例において、半二重インターレースは、端末の基地局と通信している端末を識別するために使用してもよい媒体アクセス制御識別子（ＭＡＣＩＤ）に基づいて、端末に対して自動的に選択することができる。より具体的には、端末は、そのＭＡＣＩＤが偶数である場合、ある半二重インターレースに割り当てられてもよく、そのＭＡＣＩＤが奇数である場合、別の半二重インターレースに割り当てられてもよい。別の例において、端末は、インターネットプロトコル（ＩＰ）アドレス、他の何らかの識別子、または他の何らかの端末のアドレスに基づいて半二重インターレースを割り当てられることができる。端末の識別子／アドレスから半二重インターレースへのマッピングは、規則（例えば、上述したように、偶数および奇数のＭＡＣＩＤで）、ハッシング関数、または他の何らかのマッピング方式に基づいて実施してもよい。別の例において、基地局は、システムアクセスの間に、半二重端末を半二重インターレースに割り当てることができる。より具体的には、基地局は、所与の半二重インターレースのそれぞれの負荷、サービス品質（ＱｏＳ）データ、および／または他の要素に基づいて、端末に対して半二重インターレースを選択することができる。さらなる別の例において、半二重端末は、半二重インターレースを選択し、その選択を基地局に通知することができる。これらの例は、限定ではなく説明のために提供したものであり、端末は他の方式で半二重インターレースを割り当てられうることを理解されたい。
【００４７】
一態様によれば、データおよびシグナリングは、基地局と半二重端末との間において、端末に割り当てられた半二重インターレースのフレームで交換される。順方向リンク上で、基地局は、端末に割り当てられた半二重インターレースの順方向リンクフレームでのみ、データおよびシグナリング（例えば、出力制御ビット、消去インジケータ、パイロット品質インジケータ、干渉レベル、その他）を端末に伝送することができる。シグナリングは、順方向リンク上の、例えば、出力制御チャネル（Power Control Channel）（Ｆ−ＰＣＣＨ）、パイロット品質インジケータチャネル（Pilot Quality Indicator Channel）（Ｆ−ＰＱＩＣＨ）、熱による干渉チャネル（Interference Over Thermal Channel）（Ｆ−ＩＯＴＣＨ）、高速他セクター干渉チャネル（Fast Other Sector Interference Channel）（Ｆ−ＦＯＳＩＣＨ）、共有制御チャネル（Shared Control Channel）（Ｆ−ＳＣＣＨ）、および／または他の適当なチャネル上で伝送されてもよい。いずれかの半二重インターレース上で通信されるシグナリングはまた、順方向リンクＣＱＩパイロットチャネル（Forward link CQI Pilot Channel）（Ｆ−ＣＱＩＰＩＣＨ）上のＣＱＩパイロットおよび／または順方向リンクビーコンパイロットチャネル（Forward Link Beacon Pilot Channel）（Ｆ−ＢＰＩＣＨ）上のビーコンパイロットなどのパイロットを含んでもよい。逆方向リンク上で、端末は、その端末に割り当てられた半二重インターレースの逆方向リンクフレームでのみ、基地局にデータおよびシグナリングを伝送することができる。
【００４８】
図５Ｂは、半二重インターレース０に対するＦＤＤスーパーフレーム構造５０２を示している。ＦＤＤスーパーフレーム構造５０２において、半二重インターレース０におけるスーパーフレームプリアンブル、ならびに順方向リンクフレームおよび逆方向リンクフレームは、基地局（例えば基地局１１０）と、半二重インターレース０に割り当てられた１つ以上の端末（例えば端末１２０）との間の通信に使用してもよい。一態様によれば、半二重インターレース０に割り当てられた端末は、半二重インターレース１の順方向リンクフレームおよび逆方向リンクフレームを使用しない。
【００４９】
図５Ｃは、半二重インターレース１に対するＦＤＤスーパーフレーム構造５０４を示している。ＦＤＤスーパーフレーム構造５０４において、半二重インターレース１におけるスーパーフレームプリアンブルならびに順方向リンクフレームおよび逆方向リンクフレームは、基地局（例えば基地局１１０）と、半二重インターレース１に割り当てられた１つ以上の端末（例えば端末１２０）との間の通信に使用してもよい。一態様によれば、半二重インターレース１に割り当てられた端末は、半二重インターレース０の順方向リンクフレームおよび逆方向リンクフレームを使用しない。
【００５０】
図６は、ＣＤＭＡ制御セグメントに対する例示的な伝送方式６００を示す略図である。一態様によれば、逆方向リンク用の様々なシグナリングチャネルが、ＣＤＭＡ制御セグメントで送られる。加えて、複数の端末（例えば端末１２０）が、（１）ウォルシュ符号、ＯＶＳＦ符号、または他の何らかの符号であってもよい種々の直交符号、（２）疑似ランダム系列、および／または、（３）種々の符号の組合わせを用いて、ＣＤＭＡ制御セグメント上のシグナリングをチャネル化することによって、それらのシグナリングを同時に送ることができる。一例において、ＣＤＭＡ制御セグメントは、そのＣＤＭＡ制御セグメントが送られる各フレームにおいて、時間および周波数の固定領域にマップすることができる。別の例において、ＣＤＭＡ制御セグメントは、周波数ダイバーシティを達成するために、あるＣＤＭＡフレームから別のＣＤＭＡフレームへと、疑似ランダムのまたは決定論的な方式でホップすることができる。
【００５１】
特定の非限定的な例として、ＣＤＭＡ制御セグメントは、２つの半二重インターレースの各々に対して、逆方向リンクスーパーフレーム６０５における８フレームごとに送ることができる。したがって、半二重インターレース０に対するＣＤＭＡ制御セグメントは、逆方向リンクフレーム０、４、８、などで送ることができ、半二重インターレース１に対するＣＤＭＡ制御セグメントは、逆方向リンクフレーム０’、４’、８’、などで送ることができる。半二重インターレース０に割り当てられた半二重端末は、インターレース０に対するＣＤＭＡ制御セグメント上でシグナリングを送ることができ、半二重インターレース１に割り当てられた半二重端末は、インターレース１に対するＣＤＭＡ制御セグメント上でシグナリングを送ることができる。加えて、全二重端末は、半二重インターレース０または１のいずれに対するＣＤＭＡ制御セグメントを使用してもよい。端末によって送られるシグナリングは、チャネル品質インジケータ（Channel Quality Indicator）（ＣＱＩ）、データリクエスト、順方向リンク上で受信されたパケットに対する肯定応答（ＡＣＫ）、チャネル情報（例えば、ビーム形成、空間多重化、サブバンドスケジューリング、その他に用いられる情報）、もしくは他の任意の好適な情報またはそれらの組合わせを含むことができる。
【００５２】
伝送方式６００によって表されるように、各ＣＤＭＡ制御セグメントは、１つのサブバンド、および各ＣＤＭＡフレームにおける逆方向リンクフレーム全体に及んでいる。伝送方式６００を利用するシステム（例えばシステム１００）によって使用される周波数チャネルまたはキャリアは、複数のサブバンドに区分化されていてもよい。伝送方式６００の非限定的な例において、周波数キャリアは、４つのサブバンドに分割することができる。さらに、各サブバンドは、複数のサブキャリアを含むことができる。一例において、ＣＤＭＡ制御セグメントは、伝送方式６００で表すように、種々のＣＤＭＡフレームにおいてサブバンドからサブバンドへとホップしてもよい。
【００５３】
図７は、例示的なＦＤＤ半二重順方向リンク再伝送構造７００を示す略図である。一例において、基地局（例えば基地局１１０）は、半二重インターレース０に割り当てられた端末（例えば端末１２０）に送るデータを有していてもよい。基地局は、割当ておよびこのデータを備えるデータ伝送を順方向リンクフレーム０で送ることができる。端末ａは次いで、基地局から順方向リンク伝送を受信し、割当てを復号化し、データ伝送が同様に送られると判断し、そのデータ伝送を復調し復号化することができる。これらの処置を完了すると、端末ａは、データが再伝送構造７００によって示すように正しく復号化された場合、肯定応答（ＡＣＫ）を逆方向リンクフレーム１で送ることができる。あるいは、端末ａは、データが誤って復号された場合、何も送らないか、または否定応答（ＮＡＫ）を送ることができる。基地局は、ＡＣＫ伝送を受信し復号化し、新たなデータ伝送についてまたは必要に応じてデータ再伝送について端末ａをスケジュールし、割当ておよびデータ伝送もしくは再伝送を順方向リンクフレーム３で送ることができる。一態様によれば、再伝送構造７００によって表す、順方向リンク上でのデータ伝送または再伝送および逆方向リンク上でのＡＣＫ伝送は、端末ａに送るべきデータのすべてが送られるまで繰り返されてもよい。一例において、端末ａへの順方向リンク伝送は、半二重インターレース０の順方向リンクフレームで送られ、端末ａからの逆方向リンク伝送は、半二重インターレース０の逆方向リンクフレームで送られる。
【００５４】
別の例において、基地局はまた、半二重インターレース１に割り当てられた端末ｂに送るべきデータを有していてもよい。この例において、端末ｂへの順方向リンク伝送が、半二重インターレース１の順方向リンクフレームで送られ、端末ｂからの逆方向リンク伝送が、半二重インターレース１の逆方向リンクフレームで送られることを除いて、基地局は、端末ａと同じ方式でデータを端末ｂに送ることができる。
【００５５】
図８は、例示的なＦＤＤ半二重逆方向リンク再伝送構造８００を示す略図である。一例において、基地局（例えば基地局１１０）は、半二重インターレース０に割り当てられた端末ａに、逆方向リンク上でデータを伝送するためのリソースを付与する目的で、端末ａ（例えば端末１２０）に順方向リンクフレーム０で割当てを送ることができる。次いで、端末ａは、その割当てを受信し復号化し、基地局に送るデータを符号化し、逆方向リンクフレーム１でデータ伝送を送る。基地局は次いで、端末ａからデータ伝送を受信し、復調し、復号化することができる。さらに、基地局は、必要に応じて、データ伝送またはデータ再伝送用に端末ａをスケジュールしてもよい。したがって、基地局は、逆方向リンク上でのさらなる伝送用のリソースの割当て、および／または、端末ａから受信したデータ伝送に対するＡＣＫを、順方向リンクフレーム３で送ることができる。次いで、端末ａは、割当ておよび／またはＡＣＫを受信し復号化し、逆方向リンクフレーム４でデータ伝送または再伝送を送ることができる。一態様によれば、再伝送構造８００によって示す、順方向リンク上での割当ておよびＡＣＫ伝送、ならびに逆方向リンク上でのデータ伝送または再伝送は、任意の回数、繰り返してもよい。一例において、端末ａへの順方向リンク伝送は、半二重インターレース０の順方向リンクフレームで送られ、端末ａからの逆方向リンク伝送は、半二重インターレース０の逆方向リンクフレームで送られる。
【００５６】
別の例において、基地局はまた、半二重インターレース１に割り当てられた端末ｂからデータを受信してもよい。この例において、端末ｂへの順方向リンク伝送が、半二重インターレース１の順方向リンクフレームで送られ、端末ｂからの逆方向リンク伝送が、半二重インターレース１の逆方向リンクフレームで送られることを除いて、端末ｂに対する伝送は、端末ａに対するものと同じ方式で進行してもよい。
【００５７】
図９〜１１を参照すると、ＦＤＤシステムにおける半二重通信の手順が示されている。説明を簡潔にする目的で、この手順は、一連の動作として示され説明しているが、動作の順序によって限定されず、一部の動作は、１つまたは複数の実施形態によれば、異なる順序で、かつ／または、本明細書に示し説明するものとは別の動作と同時に生じてもよいことは、理解され認められるべきである。例えば、それに代わって、ある手順が、相互に関連する一連の状態またはイベントとして、状態図などで表現されうることは、当業者には理解され認められるであろう。さらに、図示したすべての動作が、１つ以上の実施形態による手順を実施するのに必要となるとは限らない。
【００５８】
図９を参照すると、ＦＤＤシステム（例えばシステム２００）における半二重通信の手順９００が示されている。手順９００は、１つ以上の端末（例えばアクセス端末２２０）および基地局（例えばアクセスネットワーク２１０）によって実施されうることを理解されたい。手順９００がブロック９０２で始まり、ここで、通信に使用する半二重インターレースが、複数の半二重インターレースの中から決定され、各半二重インターレースは、順方向リンクおよび逆方向リンク用の一時的に重なり合わないフレームを含んでいる。一態様によれば、順方向リンクは第１の周波数チャネルと関連付けられてもよく、また、逆方向リンクは第２の周波数チャネルと関連付けられてもよい。別の態様によれば、複数の半二重インターレースは、各フレームが１つの半二重インターレースのみに含まれるような種々のフレームを含んでいる。特定の非限定的な例において、複数の半二重インターレースは、第１の半二重インターレースと第２の半二重インターレースとを備えることができる。第１の半二重インターレースは、順方向リンク用の１つおきのフレームと、逆方向リンク用の１つおきのフレームとを含むことができ、第２の半二重インターレースは、順方向リンクおよび逆方向リンク用の残りのフレームを含むことができる。この例は単に、複数の半二重インターレースを規定しうる１つの方式を示すものであり、複数の半二重インターレースを規定する他の方式も利用可能であることは理解されるべきである。
【００５９】
さらに、ブロック９０２に記載された動作で決定されるような、通信に使用するための半二重インターレースは、端末に対する識別子（例えばＭＡＣＩＤ）に基づいて決定してもよい。特定の非限定的な例において、奇数のＭＡＣＩＤを持つ端末には、第１の半二重インターレースを割り当てることができ、また、偶数のＭＡＣＩＤを持つ端末には、第２の半二重インターレースを割り当てることができる。この例は単に、端末を複数の半二重インターレースに割り当てることができる１つの方式を示すものであり、他の方式も利用可能であることは理解されたい。
【００６０】
ブロック９０２で表した動作が完了すると、手順はブロック９０４に続き、ここで、手順９００を用いる端末または基地局は、使用が決定された半二重インターレースのフレームを使用して通信する。一例において、データは、第１の周波数チャネルを介して、ブロック９０２に記載した動作で使用が決定された半二重インターレースの順方向リンクフレームで受信してもよい。それに加えて、かつ／またはそれに代わって、データは、第２の周波数チャネルを介して、使用が決定された半二重インターレースの逆方向リンクフレームで送信してもよい。一態様によれば、データは、再伝送構造７００および８００と類似した方式で、Ｈ−ＡＲＱ伝送を使用して送信しかつ／または受信してもよい。別の態様によれば、複数の半二重インターレースが、逆方向リンク上でシグナリングを送るために使用される種々のＣＤＭＡ制御セグメントと関連付けられてもよい。非限定的な例として、１つのＣＤＭＡ制御セグメントを、各半二重インターレースと関連付けることができる。シグナリングは、次いで、伝送方式６００と同様にして使用が決定された半二重インターレースに対するＣＤＭＡ制御セグメントにおいて、逆方向リンク上で送ることができる。
【００６１】
図１０は、ＦＤＤシステム（例えばシステム２００）における半二重通信用の手順１０００を示している。手順１０００はブロック１００２で開始しており、ここで、伝送タイムライン（例えば、順方向リンクの伝送タイムライン５１０および逆方向リンクの伝送タイムライン５２０）は、スーパーフレームプリアンブルと所定数のフレームとを有する順方向リンクスーパーフレームと逆方向リンクスーパーフレーム（例えば、順方向リンクスーパーフレーム５１５と逆方向リンクスーパーフレーム５２５）とに区分化されている。この手順は次いでブロック１００４に続いており、ここで、各順方向リンクスーパーフレームと逆方向リンクスーパーフレーム内のフレームは、複数の半二重インターレース（例えば、スーパーフレーム構造５００によって示される半二重インターレース０および半二重インターレース１）の間に割り付けられる。
【００６２】
次いで、ブロック１００６において、アクセス端末（例えばアクセス端末２２０）が、半二重インターレースと関連付けられる。一例において、アクセス端末に対する識別子（例えばＭＡＣＩＤ）に基づいて、アクセス端末を半二重インターレースと関連付けることができる。特定の非限定的な例において、奇数のＭＡＣＩＤを持つアクセス端末は、第１の半二重インターレースと関連付けられてもよく、また、偶数のＭＡＣＩＤを持つアクセス端末は、第２の半二重インターレースと関連付けられてもよい。この例は単に、アクセス端末を半二重インターレースと関連付けることができる１つの方式を示すものであり、他の方式も利用可能であることは理解されたい。さらに、アクセスネットワーク（例えばアクセスネットワーク２１０）またはアクセス端末自体によって、アクセス端末を半二重インターレースと関連付けうることは理解されたい。
【００６３】
最後に、ブロック１００８において、アクセスネットワークは、アクセス端末と関連付けられた半二重インターレース用にブロック１００４に記載した動作で割り付けられたフレームを用いて、ブロック１００６に記載した動作で半二重インターレースと関連付けられたアクセス端末と通信する。一例において、アクセスネットワークとアクセス端末は、第１の周波数チャネルを介して、関連付けられた半二重インターレースの順方向リンクフレームで、また、第２の周波数チャネルを介して、関連付けられた半二重インターレースの逆方向リンクフレームで通信してもよい。別の例において、アクセスネットワークとアクセス端末は、再伝送構造７００および８００と類似した方式で、Ｈ−ＡＲＱ伝送を用いて通信してもよい。
【００６４】
図１１は、ＦＤＤシステム（例えばシステム２００）において半二重端末および全二重端末（例えばアクセス端末２２０）と通信するための手順１１００を示している。手順１１００はブロック１１０２で開始しており、ここで、第１の端末との通信に使用する半二重インターレースが、複数の半二重インターレースの中から決定される。次に、ブロック１１０４で、第１の端末は、ブロック１１０２に記載した動作で使用が決定された半二重インターレースのフレームで、リソースを割り当てられる。手順１１００は次いでブロック１１０６に続いており、ここで、第２の端末が、複数の半二重インターレースのフレームのうちのいずれかで、リソースを割り当てられる。
【００６５】
ブロック１１０６に記載した動作が完了すると、手順１１００はブロック１１０８に進み、ここで、基地局（例えばアクセスネットワーク２１０）が、半二重を用いて第１の端末と通信する。一例において、基地局は、ブロック１１０２に記載した動作で使用が決定された半二重インターレースのフレームで、第１の端末とデータを交換することができる。加えて、基地局は、この半二重インターレースに対するＣＤＭＡ制御セグメントにおいて、第１の端末からシグナリングを受信することができる。次に、手順１１００はブロック１１１０に続き、ここで、基地局は、全二重を用いて第２の端末と通信する。一例において、基地局は、複数の半二重インターレースの任意のフレームで、第２の端末とデータを交換することができる。加えて、基地局は、複数の半二重インターレースのうちの１つに対するＣＤＭＡ制御セグメントにおいて、第２の端末からシグナリングを受信することができる。
【００６６】
ここで図１２を参照すると、本願明細書で説明する１つ以上の実施形態が機能する例示的な無線通信システム１２００を示すブロック図が示されている。一態様によれば、システム１２００は、基地局１１０と、半二重端末１２０ｘと、全二重端末１２０ｙとを有している。一例において、基地局１１０は、データ送信装置１２１０からトラヒックデータを、またコントローラ／プロセッサ１２３０および／またはスケジューラ１２３４からシグナリングを受信することができる送信（ＴＸ）データおよびシグナリング用プロセッサ１２１２を有している。コントローラ／プロセッサ１２３０は、基地局１１０と通信する１つ以上の端末に、スーパーフレームプリアンブルおよび／またはシグナリングのためのシステム情報（例えば、ＡＣＫ、ＰＣコマンド、消去インジケータ）を提供することができ、スケジューラ１２３４は、その端末に、順方向および／または逆方向リンク上でリソース（例えば、データチャネル、フレーム、および／またはサブキャリア）の割当てを提供することができる。加えて、ＴＸデータおよびシグナリング用プロセッサ１２１２は、トラヒックデータおよびシグナリングを処理（例えば、符号化、インターリーブ、および／またはシンボルマップ）して、それぞれデータシンボルおよびシグナリングシンボルを提供することができる。基地局１１０は、パイロットシンボルをデータおよびシグナリングシンボルと多重化し、多重化したシンボル（例えばＯＦＤＭＡおよび／またはＣＤＭＡ用）に対して変調を実施し、出力チップを提供する変調器（Ｍｏｄ）１２１４をさらに有していてもよい。さらに、送信器（ＴＭＴＲ）１２１４は、出力チップを調節（例えば、アナログへの変換、増幅、フィルタリング、および／または周波数アップコンバート）し、順方向リンク信号を生成することができる。この順方向リンク信号は次いで、デュプレクサ１２１６を通じて送り、アンテナ１２１８を介して伝送することができる。
【００６７】
別の例において、半二重端末１２０ｘは、基地局１１０を含む１つ以上の基地局から順方向リンク信号を受信するアンテナ１２５２ｘを有することができる。半二重端末１２０ｘはまた、順方向リンクフレームの間にアンテナ１２５２ｘをレシーバ（ＲＣＶＲ）１２５６ｘに接続し、逆方向リンクフレームの間にアンテナ１２５２ｘをトランスミッタ１２６６ｘに接続する無線周波数（ＲＦ）スイッチ１２５４ｘを有することができる。
【００６８】
それに加えて、かつ／またはそれに代わって、全二重端末１２０ｙは、基地局１１０を含む１つ以上の基地局から順方向リンク信号を受信するアンテナ１２５２ｙを有することができる。全二重端末１２０ｙはまた、受信信号をアンテナ１２５２ｙからレシーバ１２５６ｙに送り、さらに逆方向リンク信号をトランスミッタ１２６６ｙからアンテナ１２５２ｙに送るデュプレクサ１２５４ｙを有することもできる。
【００６９】
さらに、各端末１２０ｘおよび１２０ｙは、アンテナ１２５２からの受信信号を調節（例えば、フィルタリング、増幅、周波数ダウンコンバート、および／またはデジタル化）し、サンプルを提供するレシーバ１２５６を有することができる。端末１２０ｘおよび１２０ｙは、サンプルに対して（例えば、ＯＦＤＭＡおよび／またはＣＤＭＡ用の）復調を実施し、シンボル推定値を提供する復調器（Ｄｅｍｏｄ）１２５６をさらに有してもよい。また、受信（ＲＸ）データおよびシグナリング用プロセッサ１２５８を端末１２０ｘおよび１２０ｙに含めて、シンボル推定値を処理（例えば、シンボルディマッピング、ディインタリーブ、および／または復号化）し、復号化した信号をデータ受信装置１２６０に供給し、検出したシグナリング（例えば、割当て、ＡＣＫ、ＰＣコマンド、消去インジケータ）をコントローラ／プロセッサ１２７０に供給することができる。一態様によれば、ＲＸデータおよびシグナリング用プロセッサ１２５８と復調器１２５６による処理は、それぞれ基地局１１０でのＴＸデータおよびシグナリング用プロセッサ１２１２と変調器１２１４による処理と相補的である。
【００７０】
逆方向リンク上で、各端末１２０ｘおよび１２０ｙでのＴＸデータおよびシグナリング用プロセッサ１２６４は、データ送信装置１２６２からのトラヒックデータおよびコントローラ／プロセッサ１２７０からのシグナリングを処理し、シンボルを生成することができる。次いで、そのシンボルを変調器１２６６によって変調し、トランスミッタ１２６６によって調節して、逆方向リンク信号を生成することができる。次いで、逆方向リンク信号をＲＦスイッチ１２５４ｘに通し、端末１２０ｘ内のアンテナ１２５２ｘを介して伝送し、かつ／または、デュプレクサ１２５４ｙに送り、端末１２０ｙ内のアンテナ１２５２ｙを介して伝送することができる。基地局１１０で、端末１２０ｘおよび／または１２０ｙを含む１つ以上の端末からの逆方向リンク信号を、アンテナ１２１８によって受信し、デュプレクサ１２１６を通じて送り、レシーバ１２２０によって調節し、復調器１２２０によって復調し、ＲＸデータおよびシグナリング用プロセッサ１２２２によって処理することができる。一例において、ＲＸデータおよびシグナリング用プロセッサ１２２２は、復号化したデータをデータ受信装置１２２４に、また検出したシグナリングをコントローラ／プロセッサ１２３０に供給することができる。
【００７１】
一態様によれば、コントローラ／プロセッサ１２３０、１２７０ｘおよび１２７０ｙは、それぞれ基地局１１０ならびに端末１２０ｘおよび１２０ｙでの様々な処理装置の動作を指示することができる。一例において、コントローラ／プロセッサ１２３０は、手順９００、１０００、１１００、および／または他の適当な手順を実現することができる。それに加えて、かつ／またはそれに代わって、コントローラ／プロセッサ１２７０が、手順９００、１０００、および／または他の適当な手順を実現してもよい。別の態様によれば、メモリ１２３２、１２７２ｘおよび１２７２ｙは、それぞれ、基地局１１０ならびに端末１２０ｘおよび１２０ｙ用のデータおよびプログラムコードを記憶することができる。さらに、スケジューラ１２３４は、基地局１１０と通信する端末をスケジュールし、そのスケジュールされた端末にリソース（例えば、データチャネル、フレーム、および／またはサブキャリア）を割り当てることができる。
【００７２】
図１３は、本願明細書で説明する様々な態様によるＦＤＤ半二重通信を調整するシステム１３００のブロック図である。一例において、システム１３００は、基地局またはアクセスポイント１３０２を有している。図示のように、基地局１３０２は、受信（Ｒｘ）アンテナ１３０６を介して１つ以上のアクセス端末１３０４から信号を受信し、送信（Ｔｘ）アンテナ１３０８を介して１つ以上のユーザーデバイス１３０４に送信することができる。
【００７３】
加えて、基地局１３０２は、受信アンテナ１３０６から情報を受信するレシーバ１３１０を備えることができる。一例において、レシーバ１３１０は、受信した情報を復調する復調器（Ｄｅｍｏｄ）１３１２と作動的に関連付けることができる。次いで、復調したシンボルをプロセッサ１３１４によって解析することができる。プロセッサ１３１４は、コードクラスタ、アクセス端末の割当て、それに関連するルックアップテーブル、固有のスクランブルシーケンスに関する情報、および／または、他の好適な種類の情報を記憶することができるメモリ１３１６に連結することができる。それに加えて、かつ／またはそれに代わって、プロセッサ１３１４は、伝送タイムライン（例えば、順方向リンクの伝送タイムライン５１０および逆方向リンクの伝送タイムライン５２０）からの半二重インターレースの作成、および／または、１つ以上の半二重インターレースへの１つ以上のアクセス端末１３０４の割当てを促進することができるインターレースコンポーネント１３２２に連結することができる。一例において、基地局１３０２は、インターレースコンポーネント１３２２を用いて、手順９００、１０００、１１００、および／または他の類似の適当な手順を、プロセッサ１３１４と協働してまたはプロセッサ１３１４とは独立して実施することができる。基地局１３０２はまた、伝送アンテナ１３０８を通じて１つ以上のアクセス端末１３０４にトランスミッタ１３２０によって伝送する信号を多重化することができる変調器１３１８を有することができる。
【００７４】
図１４は、本願明細書で説明する様々な態様によるＦＤＤ半二重通信を調整するシステム１４００のブロック図である。一例において、システム１４００は、アクセス端末１４０２を含んでいる。図示のように、アクセス端末１４０２は、１つ以上の基地局１４０４から信号（１つまたは複数）を受信し、アンテナ１４０８を介して１つ以上の基地局１４０４に伝送することができる。一例において、アンテナが、所与の時間にデータを受信するかまたは伝送するように作動可能であるか否かは、ＲＦスイッチ１４０６によって制御される。
【００７５】
加えて、アクセス端末１４０２は、アンテナ１４０８から情報を受信するレシーバ１４１０を備えることができる。一例において、レシーバ１４１０は、受信した情報を復調する復調器（Ｄｅｍｏｄ）１４１２と作動的に関連付けることができる。次いで、復調したシンボルをプロセッサ１４１４によって解析することができる。プロセッサ１４１４は、アクセス端末１４０２に関するデータおよび／またはプログラムコードを記憶することができるメモリ１４１６に連結することができる。それに加えて、かつ／またはそれに代わって、プロセッサ１４１４は、１つ以上の基地局１４０４によって作成された半二重インターレースにアクセス端末１４０２を割り当てるのを促進することができるインターレースコンポーネント１４２２に連結することができる。一例において、基地局１４０２は、インターレースコンポーネント１４２２を用いて、手順９００、１０００、および／または他の類似の適当な手順を、プロセッサ１４１４と協働してまたはプロセッサ１４１４とは独立して実施することができる。アクセス端末１４０２はまた、アンテナ１４０８を通じて１つ以上の基地局１４０４にトランスミッタ１４２０によって伝送する信号を多重化することができる変調器１４１８を有することができる。
【００７６】
図１５は、ＦＤＤシステムにおける半二重通信を促進するシステム１５００を示している。システム１５００は、機能ブロックを有するものとして表されており、その機能ブロックは、プロセッサ、ソフトウェア、またはそれらの組合わせ（例えばファームウェア）によって実装される機能を表す機能ブロックでありうることが理解されよう。システム１５００は、基地局（例えばアクセスネットワーク２１０）または端末（例えばアクセス端末２２０）内に実装することができ、また、複数の半二重インターレース１５０２の中から、通信に使用する半二重インターレースを決定するためのモジュールを有することができる。さらに、システム１５００は、使用が決定された半二重インターレースのフレームを使用して通信するためのモジュール１５０４を有することができる。
【００７７】
図１６は、ＦＤＤシステムにおける半二重通信を促進するシステム１６００を示している。システム１６００は、機能ブロックを有するものとして表されており、その機能ブロックは、プロセッサ、ソフトウェア、またはそれらの組合わせ（例えばファームウェア）によって実装される機能を表す機能ブロックでありうる。システム１６００は、基地局（例えばアクセスネットワーク２１０）または端末（例えばアクセス端末２２０）内に実装することができ、また、スーパーフレームプリアンブルおよび所定数のフレームを有する順方向リンクスーパーフレームと逆方向リンクスーパーフレームとに伝送タイムラインを区分化するためのモジュール１６０２と、複数の半二重インターレースの間に、各順方向リンクスーパーフレームおよび逆方向リンクスーパーフレーム内のフレームを割り付けるためのモジュール１６０４と、アクセス端末を半二重インターレースに関連付けるためのモジュール１６０６と、関連付けられた半二重インターレースに対して割り付けられたフレームを使用してアクセス端末と通信するためのモジュール１６０８とを有することができる。
【００７８】
図１７は、ＦＤＤシステムにおける半二重端末および全二重端末との通信を促進するシステム１７００を示している。システム１７００は、機能ブロックを有するものとして表されており、その機能ブロックは、プロセッサ、ソフトウェア、またはそれらの組合わせ（例えばファームウェア）によって実装される機能を表す機能ブロックでありうる。システム１７００は、基地局（例えばアクセスネットワーク２１０）内に実装することができ、また、複数の半二重インターレースの中から、第１の端末との通信に使用する半二重インターレースを決定するためのモジュール１７０２と、使用が決定された半二重インターレースのフレームで第１の端末にリソースを割り当てるためのモジュール１７０４と、複数の半二重インターレースのフレームのいずれかで第２の端末にリソースを割り当てるためのモジュール１７０６と、半二重を使用して第１の端末と通信するためのモジュール１７０８と、全二重を使用して第２の端末と通信するためのモジュール１７１０とを有することができる。
【００７９】
本明細書で説明した実施形態は、ハードウェア、ソフトウェア、ファームウェア、ミドルウェア、マイクロコード、またはそれらの任意の組合わせによって実装してもよいことが理解されよう。システムおよび／または方法が、ソフトウェア、ファームウェア、ミドルウェア、マイクロコード、プログラムコードまたはコードセグメントで実装されるとき、それらは、記憶コンポーネントなどの機械可読メディアに記憶されてもよい。コードセグメントは、プロシージャ、関数、サブプログラム、プログラム、ルーチン、サブルーチン、モジュール、ソフトウェアパッケージ、クラス、または命令、データ構造、もしくはプログラム文の任意の組合わせを表すことができる。コードセグメントは、情報、データ、引数、パラメータ、またはメモリの内容を引き渡しかつ／または受け取ることによって、別のコードセグメントまたはハードウェア回路に結合することができる。情報、引数、パラメータ、データなどは、メモリの共有、メッセージパッシング、トークンパッシング、ネットワーク伝送などを含めた任意の好適な手段を使用して、引き渡し、転送し、または伝送することができる。
【００８０】
ソフトウェア実装の場合、本願明細書で説明した技法は、本願明細書で説明した機能を実施するモジュール（例えば、プロシージャ、機能、その他）で実装することができる。ソフトウェアコードは、メモリ装置に記憶し、プロセッサによって実行することができる。メモリ装置は、プロセッサ内でまたはプロセッサの外部で実装することができ、プロセッサの外部の場合、当技術分野で知られるように、様々な手段によってプロセッサに通信可能にすることができる。
【００８１】
上で説明した内容は、１つ以上の実施形態の例を含んでいる。それは、当然ながら、上述した実施形態を説明する目的で、コンポーネントまたは手順の考えられるすべての組合わせについて説明することは不可能であるが、多数のさらなる組合わせおよび様々な実施形態の変形が可能であることは、当業者は理解することができる。したがって、説明した実施形態は、添付の特許請求の範囲の趣旨および範疇に含まれるすべての変更形態、修正形態、および変形形態を包含することを意図したものである。さらに、「含む」という用語が、詳細な説明または特許請求の範囲のいずれかにおいて使用されている限り、そのような用語は、「備える」という用語が特許請求の範囲で移行部の語として用いられているときに解釈されるように、「備える」と同様に包括的となることを意図したものである。さらに、「または」、「もしくは」という用語は、詳細な説明または特許請求の範囲のいずれかにおいて使用されるとき、「非排他的な和」であることを意図している。
【図面の簡単な説明】
【００８２】
【図１】図１は、本願に記載する様々な態様による多元接続無線通信システムを示す。
【図２】図２は、様々な態様による、半二重通信を提供するシステムを示すブロック図。
【図３】図３は、様々な態様による例示的なＦＤＤスーパーフレーム構造を示す。
【図４】図４は、様々な態様による例示的なＴＤＤ１：１スーパーフレーム構造を示す。
【図５Ａ】図５Ａは、様々な態様による例示的なＦＤＤ半二重スーパーフレーム構造を示す。
【図５Ｂ】図５Ｂは、様々な態様による例示的なＦＤＤ半二重スーパーフレーム構造を示す。
【図５Ｃ】図５Ｃは、様々な態様による例示的なＦＤＤ半二重スーパーフレーム構造を示す。
【図６】図６は、様々な態様によるＣＤＭＡ制御セグメントに対する例示的な伝送方式を示す図。
【図７】図７は、様々な態様による例示的なＦＤＤ半二重順方向リンク再伝送構造を示す。
【図８】図８は、様々な態様による例示的なＦＤＤ半二重逆方向リンク再伝送構造を示す。
【図９】図９は、ＦＤＤシステムにおける半二重通信についての手順を示す流れ図。
【図１０】図１０は、ＦＤＤシステムにおける半二重通信についての手順を示す流れ図。
【図１１】図１１は、ＦＤＤシステムにおける半二重端末および全二重端末との通信についての手順を示す流れ図。
【図１２】図１２は、本願で述べる１つ以上の実施形態が機能しうる例示的な無線通信システムを示すブロック図。
【図１３】図１３は、様々な態様によるＦＤＤ半二重通信を調整するシステムを示すブロック図。
【図１４】図１４は、様々な態様によるＦＤＤ半二重通信を調整するシステムを示すブロック図。
【図１５】図１５は、ＦＤＤシステムにおける半二重通信を促進するシステムを示すブロック図。
【図１６】図１６は、ＦＤＤシステムにおける半二重通信を促進するシステムを示すブロック図。
【図１７】図１７は、ＦＤＤシステムにおける半二重端末および全二重端末との通信を促進するシステムを示すブロック図。
【図１】
2009538063.tif 000003
【図２】
2009538063.tif 000004
【図３】
2009538063.tif 000005
【図４】
2009538063.tif 000006
【図５Ａ】
2009538063.tif 000007
【図５Ｂ】
2009538063.tif 000008
【図５Ｃ】
2009538063.tif 000009
【図６】
2009538063.tif 000010
【図７】
2009538063.tif 000011
【図８】
2009538063.tif 000012
【図９】
2009538063.tif 000013
【図１０】
2009538063.tif 000014
【図１１】
2009538063.tif 000015
【図１２】
2009538063.tif 000016
【図１３】
2009538063.tif 000017
【図１４】
2009538063.tif 000018
【図１５】
2009538063.tif 000019
【図１６】
2009538063.tif 000020
【図１７】
2009538063.tif 000021
【国際調査報告】
2009538063.tif 000022
2009538063.tif 000023
2009538063.tif 000024